(57)【要約】【課題】カードゲーム中におけるカードのすり替えを常時監視して不正防止を行うことができる、カードゲームの不正防止監視システムを得る。【解決手段】各カードに固有のＩＤ番号を付与した１つ以上の不正検出手段を有したカードを使用し、カジノテーブルの上方部又は内部に設置したＩＤ読み取り装置によりカードのＩＤ番号を常時読み取り監視し、該カジノテーブルに配設された端末サーバにより上位の管理サーバより予め通知され登録されているＩＤ番号と比較検出を行い、当該カードゲームに未登録のＩＤ番号のカードが検出された場合にはカードのすり替えによる不正が行われたと判断してディーラーに通知する。不正検出手段を有するカードの第一不正検出手段として、ＩＤ番号を有した超小型無線ＩＤタグチップをカードに埋め込み、第二不正検出手段として、ＩＤ番号を有したホログラムを印刷し又はホログラムシールをカードに貼付する。【選択図】　　　　図１
2004089453.tif 000002
【特許請求の範囲】
【請求項１】
各カードに固有のＩＤ番号を付与した１つ以上の不正検出手段を有したカードを使用し、カジノテーブルの上方部又は内部に設置したＩＤ読み取り装置によりカードのＩＤ番号を常時読み取り監視し、該カジノテーブルに配設された端末サーバにより上位の管理サーバより予め通知され登録されているＩＤ番号と比較検出を行い、当該カードゲームに未登録のＩＤ番号のカードが検出された場合にはカードのすり替えによる不正が行われたと判断してディーラーに通知することにより不正防止を行うことができることを特徴とした、カードゲームの不正防止監視システム。
【請求項２】
不正検出手段を有するカードの第一不正検出手段として、カードの任意の場所の一箇所に、該カードの数字及びマークを特定するための下位６ビットとカードセットの固有番号を特定するための上位数十ビットから成るＩＤ番号を有した超小型無線ＩＤタグチップ及び可撓性を有したアンテナを埋め込んだものであることを特徴とした、請求項１に記載のカードゲームの不正防止監視システム。
【請求項３】
不正検出手段を有するカードの第二不正検出手段として、カードの両面において任意の場所の一箇所以上に、該カードの数字及びマークを特定するための下位６ビットとカードセットの固有番号を特定するための上位数十ビットから成るＩＤ番号を有したホログラムを印刷し又はホログラムシールを貼付したものであることを特徴とした、請求項１に記載のカードゲームの不正防止監視システム。
【請求項４】
端末サーバにＣＤ−ＲやＤＶＤ−Ｒ等のＷＯＲＭ型記録媒体によりカードゲーム中のＩＤ信号情報を逐次記録するようにしたことを特徴とした、請求項１に記載のカードゲームの不正防止監視システム。
【発明の詳細な説明】
【０００１】
【発明の属する技術分野】
本発明は、カジノゲームにおいて、特にブラックジャックやバカラ等のカードゲーム中におけるカードのすり替えを常時監視して不正防止を行うことができる、カードゲームの不正防止監視システムに関するものである。
【０００２】
【従来の技術】
従来、カジノでブラックジャックやバカラ等のカードゲームを行う場合、カードゲームごとに親（ディーラー）は封印された新規カードを開封し、該カードをシャッフルしたのち各子（プレイヤー）に配ることによりカードゲームを行っている。
【０００３】
該カードゲーム中において、プレイヤーがカードに目印を付けたり、プレイヤーが隠し持った別のカードとすり替えることによる不正が行われることがあったが、巧妙な手口により不正を見つけ出すことは非常に困難であった。
【０００４】
【発明が解決しようとする課題】
これは、カード表面のデザインがすべて同一であるため、本来のカードとすり替えられたカードとの区別ができないということと、すり替えの手口が非常に巧妙でいつすり替えられたのかが分からないといったことによるものである。このため、カードゲーム中において不正が行われたカードを的確に判断できる不正防止監視システムは実現されていないのが現状である。
【０００５】
本発明は、上記のような課題を解決するために成されたものであり、ブラックジャックやバカラ等のカードゲーム中におけるカードのすり替えを常時監視して不正防止を行うことができる、カードゲームの不正防止監視システムを提供することを目的とする。
【０００６】
【課題を解決するための手段】
上記課題を解決するため、本発明のカードゲームの不正防止監視システムにおいては、各カードに固有のＩＤ番号を付与した１つ以上の不正検出手段を有したカードを使用し、カジノテーブルの上方部又は内部に設置したＩＤ読み取り装置によりカードのＩＤ番号を常時読み取り監視し、該カジノテーブルに配設された端末サーバにより上位の管理サーバより予め通知され登録されているＩＤ番号と比較検出を行い、当該カードゲームに未登録のＩＤ番号のカードが検出された場合にはカードのすり替えによる不正が行われたと判断してディーラーに通知することにより不正防止を行うことができるシステムとする。
【０００７】
不正検出手段を有するカードの第一不正検出手段として、カードの任意の場所の一箇所に、該カードの数字及びマークを特定するための下位６ビットとカードセットの固有番号を特定するための上位数十ビットから成るＩＤ番号を有した超小型無線ＩＤタグチップ及び可撓性を有したアンテナを埋め込む。
【０００８】
不正検出手段を有するカードの第二不正検出手段として、カードの両面において任意の場所の一箇所以上に、該カードの数字及びマークを特定するための下位６ビットとカードセットの固有番号を特定するための上位数十ビットから成るＩＤ番号を有したホログラムを印刷し又はホログラムシールを貼付する。
【０００９】
【発明の実施の形態及び実施例】
本発明の実施の形態及び実施例を図を用いて説明する。まず、本発明のカードゲームの不正防止監視システムにおいては、各カードに固有のＩＤ番号を付与した１つ以上の不正検出手段を有したカードを使用するものとする。図１は本発明のカードゲームの不正防止監視システムにおいて使用する不正検出手段を有したカードの構成図である。
【００１０】
図１の（ａ）は不正検出手段を有するカードの第一不正検出手段として、カード１の任意の場所の一箇所に、該カード１の数字及びマークを特定するための下位６ビットとカードセットの固有番号を特定するための上位数十ビットから成るＩＤ番号を有した超小型無線ＩＤタグチップ２及び可撓性を有したアンテナ３を埋め込んだカードを示している。該超小型無線ＩＤタグチップ２は、外形寸法として２ｍｍ×２ｍｍ以下で厚さは数百ミクロン以下のものが好適である。また、アンテナ３は、長さ数十ｃｍのプリント配線によるループアンテナが好適である。
【００１１】
図２は超小型無線ＩＤタグチップの回路ブロック図であり、アンテナ３を中継してＩＤ番号情報を送受信するためのＲＦ回路５と、受信電波を整流して当該超小型無線ＩＤタグチップ２の直流回路電源Ｖｄｄを生成するための整流回路６と、前記ＲＦ回路５のアナログ信号と後段の制御回路８のデジタル信号とをシリアルデータ中継するためのシリアルインターフェース回路７と、カード１の数字及びマークを特定するための下位６ビットとカードセットの固有番号を特定するための上位数十ビットから成るＩＤ番号を記憶させるためのメモリ回路９と、前記シリアルインターフェース回路７やメモリ回路９の制御を行うための制御回路８等にて構成する。
【００１２】
図３は超小型無線ＩＤタグチップのビット数及びビット内容を示した図であり、カード１を特定するためのＩＤ番号は、カード１の数字及びマークを特定するための６ビットの下位ビットとカードセットの固有番号を特定するための数十ビットの上位ビットから成る。下位ビットの６ビットからは２６＝６４種類のＩＤを識別できるため、５２枚からなるカード１を識別するには十分である。また、上位ビットは例えば３３ビットとすれば２３３≒８５億９千万種類のＩＤを識別できるため、全世界のカジノで行われるカードゲームのカードセットを識別するには十分である。なお、前記例で示した３３ビットの数は任意で構わなく、特に限定するものではない。
【００１３】
また、図１の（ｂ）は不正検出手段を有するカードの第二不正検出手段として、カード１の両面において任意の場所の一箇所以上に、該カード１の数字及びマークを特定するための下位６ビットとカードセットの固有番号を特定するための上位数十ビットから成るＩＤ番号を有したホログラム４を印刷し又はホログラムシールを貼付したカードを示している。該ホログラム４の印刷面又はホログラムシールの形状は円形又は方形とし、大きさは約５ｍｍ程度とするのが好適であるが、特に限定するものではない。なお、ＩＤタグのビット数及びビット内容は、前記超小型無線ＩＤタグチップで説明した内容と同等である。
【００１４】
次に、本発明のカードゲームの不正防止監視システムにより不正の常時監視を行う手段を説明する。図４は本発明のカードゲームの不正防止監視システムによりカードゲームを行う場合の第一実施例図であり、カジノテーブル１０の上に超小型無線ＩＤタグチップ２及び可撓性を有したアンテナ３を埋め込んだカード１が多数載っている状態を示している。また、該カジノテーブル１０の上方部にはカード１のＩＤ番号を常時読み取り監視するための無線ＩＤ読み取り装置１１とＣＣＤカメラ１３が各１台ずつ設置され、制御装置１４に接続されている。更に、該制御装置１４はカジノテーブル１０の近傍に配設された端末サーバ１５に接続され、該端末サーバ１５はＬＡＮ１６経由で上位の管理サーバ１７に接続されている。
【００１５】
ここでカードゲームを行う場合、ディーラーの所持する未開封のカードセットのＩＤ番号が上位の管理サーバ１７よりＬＡＮ１６経由で端末サーバ１５に通知される。そして、ディーラーによりカードゲームが開始されるが、この時より無線ＩＤ読み取り装置１１によりカジノテーブル１０上の全てのカード１の超小型無線ＩＤタグチップ２のＩＤ番号が常時読み取り監視される。該読み取り動作としては、無線ＩＤ読み取り装置１１より一定周期ごとに読み取り信号を発射すると、該電波をアンテナ３で受信することにより整流回路６にて直流回路電源Ｖｄｄを生成してアクティブになった超小型無線ＩＤタグチップ２内の制御回路８がメモリ回路９よりＩＤ番号を読み出し、シリアルインターフェース回路７及びＲＦ回路５を経由しアンテナ３からＩＤ信号を発射する。そして、該ＩＤ信号を無線ＩＤ読み取り装置１１が受信することにより読み取りが行われる。そして、読み取ったＩＤ番号と端末サーバ１５に予め登録されているＩＤ番号と比較検出を行い、当該カードゲームに未登録のＩＤ番号のカード１が検出された場合にはカード１のすり替えによる不正が行われたと判断してディーラーに通知することにより不正防止を行うことができる。なお、ＣＣＤカメラ１３はモニタ（図示せず）による目視監視のためであり、該システムにおいて必須のものではない。また、無線ＩＤ読み取り装置１１はカジノテーブル１０の内部に設置しても常時読み取り監視が可能であれば、内部に設置しても構わない。
【００１６】
また、図５は本発明のカードゲームの不正防止監視システムよりカードゲームを行う場合の第二実施例図であり、カジノテーブル１０の上にホログラム４を印刷し又はホログラムシールを貼付したカード１が多数載っている状態を示している。また、該カジノテーブル１０の上方部にはカード１のＩＤ番号を常時読み取り監視するためのホログラムＩＤ読み取り装置１２が２台とＣＣＤカメラ１３が１台設置され、制御装置１４に接続されている。更に、該制御装置１４はカジノテーブル１０の近傍に配設された端末サーバ１５に接続され、該端末サーバ１５はＬＡＮ１６経由で上位の管理サーバ１７に接続されている。
【００１７】
ここでカードゲームを行う場合、ディーラーの所持する未開封のカードセットのＩＤ番号が上位の管理サーバ１７よりＬＡＮ１６経由で端末サーバ１５に通知される。そして、ディーラーによりカードゲームが開始されるが、この時よりホログラムＩＤ読み取り装置１２によりカジノテーブル１０上の全てのカード１のホログラム４のＩＤ番号を常時読み取り監視する。該読み取り動作としては、１台以上のホログラムＩＤ読み取り装置１２より一定周期ごとに読み取り用のレーザー光を発射すると、該レーザー光はホログラム４に進入しホログラムパターンに重畳されたＩＤ信号を含んだレーザー光として反射する。そして、該ＩＤ信号を含んだレーザー光を各ホログラムＩＤ読み取り装置１２が受信することにより読み取りが行われる。そして、読み取ったＩＤ番号と端末サーバ１５に予め登録されているＩＤ番号と比較検出を行い、当該カードゲームに未登録のＩＤ番号のカード１が検出された場合にはカード１のすり替えによる不正が行われたと判断してディーラーに通知することにより不正防止を行うことができる。なお、ＣＣＤカメラ１３はモニタ（図示せず）による目視監視のためであり、該システムにおいて必須のものではない。また、ホログラムＩＤ読み取り装置１２は図５では２台設置してあるが、必要に応じて増減しても構わない。
【００１８】
また、上記第一実施例及び第二実施例において、端末サーバ１５にＣＤ−ＲやＤＶＤ−Ｒ等のＷＯＲＭ（追記）型記録媒体によりカードゲーム中のＩＤ信号情報を逐次記録するようにしておけば、不正行為の証拠として残るため後日のトラブル解決に役立つものである。
【００１９】
【発明の効果】
以上述べたように、本発明のカードゲームの不正防止監視システムによりカードゲームを行うようにすれば、超小型無線ＩＤタグチップを埋め込んだカードから無線ＩＤ読み取り装置によりＩＤ番号を常時読み取り監視することができ、ホログラムを印刷し又はホログラムシールを貼付したカードからホログラムＩＤ読み取り装置によりＩＤ番号を常時読み取り監視することができ、該ＩＤ番号と端末サーバに予め登録されているＩＤ番号との比較を行うことにより、不正カードの検出が容易に行うことができる。このため、カードゲーム中におけるカードのすり替えを即時検出して不正防止を行うことができるという絶大なる効果を奏する。
【図面の簡単な説明】
【図１】本発明のカードゲームの不正防止監視システムにおいて使用する不正検出手段を有したカードの構成図である。
【図２】超小型無線ＩＤタグチップの回路ブロック図である。
【図３】超小型無線ＩＤタグチップのビット数及びビット内容を示した図である。
【図４】本発明のカードゲームの不正防止監視システムによりカードゲームを行う場合の第一実施例図である。
【図５】本発明のカードゲームの不正防止監視システムよりカードゲームを行う場合の第二実施例図である。
【符号の説明】
１　カード
２　超小型無線ＩＤタグチップ
３　アンテナ
４　ホログラム
５　ＲＦ回路
６　整流回路
７　シリアルインターフェース回路
８　制御回路
９　メモリ回路
１０　カジノテーブル
１１　無線ＩＤ読み取り装置
１２　ホログラムＩＤ読み取り装置
１３　ＣＣＤカメラ
１４　制御装置
１５　端末サーバ
１６　ＬＡＮ
１７　管理サーバ
【図１】
2004089453.tif 000003
【図２】
2004089453.tif 000004
【図３】
2004089453.tif 000005
【図４】
2004089453.tif 000006
【図５】
2004089453.tif 000007